(57)【特許請求の範囲】
【請求項１】
情報記憶媒体を保持する保持手段と、前記情報記憶媒体の情報を再生または記録の少なくとも何れか一方をする読取手段と、前記読取手段の前記情報記憶媒体に対する位置を変える送り手段と、前記読取手段と前記保持手段と前記送り手段とを支持するシャーシと、前記保持手段と前記読取手段と前記送り手段のそれぞれの動作を制御する制御手段と、前記保持手段と前記読取手段と前記送り手段の少なくとも何れかと前記制御手段とを電気的に結ぶ結線手段と、前記結線手段の一端に設けられた接続部と前記制御手段とを挿抜可能に接続する接続手段と、前記接続手段に対向する位置であって、前記シャーシに関し前記情報記憶媒体の反対側に、前記接続部を前記シャーシに係合させる係合手段とを備え、前記係合手段が前記係合手段または前記シャーシの何れかに設けられた弾性的な爪または軽圧入の何れかによって前記シャーシに係合し、前記シャーシの前記係合手段近傍に孔が備えられており、前記シャーシの前記情報記憶媒体側から前記孔を通して前記係合手段を押すと、前記係合手段の一部または全体が前記シャーシより分離することを特徴とする情報記憶装置。
【請求項２】
前記結線手段が平板状の柔軟性のある線材であり、前記係合手段が前記接続部の近傍を挟んで支持する挟持部を有し、前記挟持部が前記接続部を前記シャーシに対して略垂直に保持し、前記シャーシに前記係合手段を係合させた際、前記シャーシにおいて前記挟持部の外側に前記挟持部が開くのを防止する支持手段とを設けたことを特徴とする請求項１に記載の情報記憶装置。
【請求項３】
前記係合手段に前記接続部を囲うガイド部を備え、前記ガイド部の内側の形状が前記接続手段の外側の形状と略同じで、前記係合手段に前記接続手段が係合する際、前記結線手段が前記接続手段の挿入口に対して位置決めされ、
前記接続手段は、前記ガイド部を案内するテーパを外側に有し、かつ前記接続部を前記挿入口に案内するテーパを内側に有する誘い部を備え、
前記誘い部と前記挟持部とが、前記シャーシに対し同じ高さで交互に並んでいることを特徴とする請求項１または請求項２に記載の情報記憶装置。
【発明の詳細な説明】
【０００１】
【発明の属する技術分野】
本発明はディスクを再生、または録再する情報記憶装置に関するものである。
【０００２】
【従来の技術】
近年、情報記憶装置はコンピュータ周辺機器（ＣＤ−ＲＯＭ、ＭＯ、ＰＣ等）、ＡＶ機器（ＣＤ、ＶＣＤ、ＬＤ等）として等の分野の情報記憶再生装置として普及している。
【０００３】
以下図面を参照しながら、上記した従来の情報記憶装置の一例について説明する。図９は従来の情報記憶装置の一例を示す断面側面図である。
【０００４】
図９において、３０２はトラバース部品を支持するシャーシである。シャーシ３０２には、回転軸にターンテーブル３０４が圧入されたスピンドルモータ３０３が固定されている。スピンドルモータ３０３は、ターンテーブル３０４に載置した図示せぬディスク３０１を回転する。また、シャーシ３０２には一対のガイドシャフト３０６が、ガイドシャフト支持部材３０２ａ、３０２ｂを介して平行に固定されている。このガイドシャフト３０６は、回転したディスクの情報を再生または記録の少なくとも何れかをするピックアップ３０５を、ディスク半径方向に移動可能にガイドしている。また、ピックアップ３０５は図示せぬ送り手段によってディスクの任意の情報を記録した場所へ送られる。
【０００５】
シャーシ３０２にはダンパゴム３０８ａ、３０８ｂが取り付けられている。シャーシ３０２はダンパゴム３０８ｂを介して、後方をローディングベース３０９に固定している。前方は、ローディングベース３０９に設けられた図示せぬ昇降機構により上下する中間シャーシ３１０に、ダンパゴム３０８ａを介して固定している。ローディングベース３０９の底には、トラバースを制御する制御Ｐ板３１１が取り付けている。シャーシ３０２に設けられたピックアップ３０５は、線材３１２と制御Ｐ板３１１に設けられたコネクタ３１３とで制御Ｐ板３１１に電気的に接続されている。スピンドルモータ３０３と送り手段とも線材により、制御Ｐ板３１１に接続されているが、ピックアップ３０５と同様であるので説明を省略する。
【０００６】
以上のように構成された情報記憶装置について、以下その動作について説明する。
【０００７】
情報記憶装置はスピンドルモータ３０３を回転させて、ターンテーブル３０４に載置されたディスクを回転し、続いて送り手段によりピックアップ３０５をディスクの任意のトラックの近傍に移動して、ディスクの回転によりディスクの任意のトラック上の情報を、ピックアップ３０５により光学的に再生または記録する。この動作は制御Ｐ板３１１により線材３１２を通じて電気信号で行われている。
【０００８】
ところで、ディスクをターンテーブル３０４にセットするため、昇降機構によりローディングベース３０９に対して中間シャーシ３１０を上下動させる。これにより、ターンテーブル３０４が上下動してディスクをセットする事ができる。ところが、制御Ｐ板３１１はローディングベース３０９に取り付けてあるため、シャーシ３０２と制御Ｐ板３１１は相対的に高さ位置が変わる。また、ピックアップ３０５は読み取り位置を水平方向に変えるため、ピックアップ３０５と制御Ｐ板３１１を接続する線材はＦＰＣまたはＦＦＣ等の柔らかく、屈曲性に耐える線材で接続されている。また、その線材３１２でその動作を規制しないように線材３１２は十分長く、またその接続状態は比較的自由な状態になっている。
【０００９】
【発明が解決しようとする課題】
ところで、トラバースの部品を組み込んだシャーシ３０２をローディングベース３０９に組み込んだ後、制御Ｐ板３１１に線材３１２を接続するので、それまで間、通常線材はフリー状態になっている。線材３１２の長さはは長く、フレキシブルで、かつ自由な状態となっているため、組立途中に引っかけたり、切ったりする恐れがあった。それを防ぐため、工程内では線材３１２が組立の際に邪魔にならないようにする必要が生じ、その分工数が増えていた。
【００１０】
また、線材３１２の接続部が表にむき出しになっており、外部の部品、人等と接触しやすくなっていた。線材３１２の接続部に静電気が加わると、レーザの劣化、破壊が起こり、重大な品質問題となり易かった。
【００１１】
本発明は上記問題点に鑑み、組立易く信頼性の高い情報記憶装置を提供するものである。
【００１２】
【課題を解決するための手段】
上記問題点を解決するために、請求項１に記載の発明は、情報記憶媒体を保持する保持手段と、情報記憶媒体の情報を再生または記録の少なくとも何れか一方をする読取手段と、読取手段の情報記憶媒体に対する位置を変える送り手段と、読取手段と保持手段と送り手段とを指示するシャーシと、保持手段と読取手段と送り手段のそれぞれの動作を制御する制御手段と、保持手段と読取手段と送り手段の少なくとも何れかと制御手段とを電気的に結ぶ結線手段と、結線手段の一端に設けられた接続部と制御手段とを挿抜可能に接続する接続手段と、接続手段に対向する位置であって、シャーシに関し情報記憶媒体の反対側に、接続部をシャーシに係合させる係合手段とを備え、係合手段が係合手段またはシャーシの何れかに設けられた弾性的な爪または軽圧入の何れかによって着脱可能にシャーシに係合し、シャーシの係合手段に対応する位置に孔が備えられており、シャーシの情報記憶媒体側から孔を通して係合手段を押すと、係合手段がシャーシより分離することができる情報記憶装置である。
【００１３】
これにより、線材が固定されて組立時に邪魔にならず、かつ簡単に制御手段に設けられたコネクタへの接続ができ、
トラバース単体状態でも線材が固定されて組立時に邪魔にならず、かつ簡単に制御手段に設けられたコネクタへの接続ができる。
【００１４】
さらに、ローディングベースに制御手段を設けた場合でも、容易に、係合手段の接続手段への接続が可能となる。また、接続の際に人が線材を接触しないため、静電気によるピックアップのレーザの破壊を低減することが可能となる。
【００１５】
請求項２に記載の発明は、結線手段が平板状の柔軟性のある線材であり、係合手段が接続部の近傍を挟んで支持する挟持部を有し、挟持部が接続部をシャーシに対して略垂直に保持し、シャーシに係合手段を係合させた際、シャーシにおいて挟持部の外側に挟持部が開くのを防止する支持手段とを備えた情報記憶装置である。これにより、クリープによる変形を防止して長期間保存しても線材の倒れを防止してシャーシに対して略垂直に保持することができ、長期間放置されても安定して接続手段への接続が可能となる。
【００１７】
さらに、請求項３に記載の発明は、係合手段に接続部を囲うガイド部を備え、ガイド部の内側の形状が接続手段の外側の形状と略同じで、係合手段に接続手段が係合する際、結線手段が接続手段の挿入口に対して位置決めされ、接続手段は、ガイド部を案内するテーパを外側に有し、かつ接続部を挿入口に案内するテーパを内側に有する誘い部を備え、誘い部と挟持部がシャーシに対し同じ高さで交互に並べることにより、高さを増やすことなく、より確実に結線手段の接続部を接続手段に接続することが可能となる。
【００２１】
【発明の実施の形態】
以下は本発明の第１の実施の形態の情報記憶装置について、図面を参照しながら説明していく。
【００２２】
（実施の形態１）
図１は、本発明の第１の実施の形態の情報記憶装置の要部構成図である。図１において、２はトラバース部品を支持するシャーシである。シャーシ２には、保持手段のターンテーブル４を、軸に圧入したスピンドルモータ３が固定されている。また、シャーシ２には１対のガイドシャフト７ａ、７ｂが固定されている。
【００２３】
ガイドシャフト７ａ、７ｂは、互いに平行で、かつ図示せぬディスクを載置するターンテーブル４の面に平行に固定され、図示せぬディスクから情報を再生または記録する読取手段のピックアップ５を、ディスク半径方向に摺動自在に支持している。ピックアップ５は、送り手段であるトラバースモータ８により駆動力を受けて、移動できるように設けられている。
【００２４】
また、ピックアップ５には、制御手段である制御Ｐ板１０に接続するためのＦＰＣ６が設けれている。制御Ｐ板１０は図示せぬトレーの出し入れ、シャーシ２を昇降を行うローディングベース１５（図３参照）に裏側から取り付けられる。
【００２５】
制御Ｐ板１０には、ＦＰＣ６と接続するコネクタ１１とが設けられている。このコネクタ１１には、誘い部１２ａ、１２ｂを有するコネクタカバー１２がかぶせられている。このコネクタ１１とコネクタカバー１２とが接続手段である。誘い部１２ａ、１２ｂは、コネクタ１１のＦＰＣ挿入口１１ａを挟むように間隔を開けて並んでいる。また、誘い部１２ａ及び１２ｂの外側の対向面と、ＦＰＣ挿入口１１ａ側とがテーパ形状になっている。
【００２６】
さらに、図２を用いて本発明の第１の実施の形態の情報記憶装置の構成の説明を行う。図２は本発明の第１の実施の形態の情報記憶装置を裏側から見た要部構成図を示している。
【００２７】
シャーシ２には開口部２ａが設けてあり、この開口部２ａを通して、ピックアップ５のＦＰＣ６が裏側にでている。ＦＰＣ６の先端の接続部６ａの両端には凸部６ｂ、６ｃが設けられている。なお、接続部６ａ、凸部６ｂ、６ｃは補強板で補強してもよい。ＦＰＣ６の先端にはＦＰＣホルダ９が取り付けられる。
【００２８】
ＦＰＣホルダ９には凹部（図示は省略）があり、凸部６ｂ、６ｃがはまり込んで係合する。また、ＦＰＣ６はヒンジ（図示は省略）で本体９ｉにその一方がつながっている挟持部９ａと本体９ｉとにより、接続部６ａの根元６ｄが挟み込まれて取り付けられる。挟持部９ａのヒンジと反対側にはフック９ｇが設けられており、本体９ｉにフック９ｇが引っかかることにより、接続部６ａの根元６ｄを挟んでいる。また、ＦＰＣホルダ９のガイド９ｂと挟持部９ａと本体９ｉとにより、接続部６ａを囲む形状をしている。このガイド９ｂと挟持部９ａと本体９ｉとでガイド部を構成する。また、このガイド部のＦＰＣ６と反対側の内側は、コネクタカバー１２が嵌合するような形状、大きさになっている。
【００２９】
また、シャーシ２にはＦＰＣホルダ９を係合する取付部１３ａ、１３ｂが設けられている。取付部１３ａ、１３ｂには弾性または復元力（以下バネ性と称す）を持つ爪１３ｃ、１３ｄが設けられており、着脱が可能になっている。このＦＰＣホルダ９と取付部１３ａ、１３ｂとで係合手段を構成している。
【００３０】
ＦＰＣホルダ９には凸部９ｃ、９ｄが左右にあり、ＦＰＣホルダ９はこの爪１３ｃ、１３ｄに凸部９ｃ、９ｄが引っかかり係合する。取付部１３ａ、１３ｂ近傍（ＦＰＣホルダ９の取り付く部分）のシャーシ２には孔２ｂ、２ｃが設けられており、取付部１３ａ、１３ｂに係合したＦＰＣホルダ９をシャーシ２の表側から押すことが可能になっている。
【００３１】
また、シャーシ２の取付部１３ａ、１３ｂの間には、ＦＰＣホルダ９の挟持部９ａの外側が開かないように支える支持手段の支持部１４が設けられている。
【００３２】
さらに、図３を用いてシャーシ２、制御Ｐ板１０、ローディングベース１５の位置関係を説明する。図３は、本発明の第１の実施の形態を示す要部側面図である。
【００３３】
トラバース部品を取り付けたシャーシ２は図示せぬローディング機構により、ローディングベース１５に対し相対的に上下動する。シャーシ２の下にはローディングベース１５にネジ１６ａ、１６ｂで固定された制御Ｐ板１０がある。制御Ｐ板１０上に設けられ、コネクタカバー１２がかぶせれらたコネクタ１１の位置と、シャーシ２の取付部１３ａ、１３ｂとに取り付けられたＦＰＣホルダ９の水平方向の位置は、ほぼ同じ位置に設けられている。
【００３４】
以上のように構成された情報記憶装置について、以下その基本動作について説明する。
【００３５】
まず、スピンドルモータ３を回転させて、ターンテーブル４に載置された図示せぬディスクを回転させる。トラバースモータ８を回転させ、ガイドシャフト７ａ、７ｂによりディスク半径方向に摺動自在にガイドされたピックアップ５をディスク半径方向に送る。これにより、ピックアップ５をディスクの任意のトラック近傍に移動して、ディスクの任意のトラック上の情報を読み出す、または書き込むことができる。これらの動作はＦＰＣ等の線材を電気的に介して制御Ｐ板１０により制御される。
【００３６】
続いて、コネクタ１１へのＦＰＣ６の挿入のついて説明する。
シャーシ２を図示せぬローディング機構によりダウンさせて、ローディングベース１５に固定された制御Ｐ板１０に近づける。これによりコネクタ１１とＦＰＣホルダ９を接近させる。ＦＰＣホルダ９はバネ性を持った爪１３ｃ、１３ｄによってシャーシ２に係合している。よって、シャーシ２の表から孔２ｂ、２ｃを通してＦＰＣホルダ９を下へ押し下げると、爪１３ｃ、１３ｄが逃げて係合が外れる。ＦＰＣホルダ９は取付部１３ａ、１３ｂによって、コネクタ１１に対して水平方向ほぼ同じ位置でシャーシ２に取り付けられているため、さらに押し下げるとＦＰＣホルダ９はコネクタ１１にかぶさる。コネクタ１１には誘い部１２ａ、１２ｂを有するコネクタカバー１２がかぶさっているため、誘い部１２ａ、１２ｂの外側のテーパによりカバー部９ｂが誘われて、ＦＰＣホルダ９の位置とコネクタ１１の位置がズレていてもスムーズに嵌合することができる。
【００３７】
さらに、図４を用いてピックアップ５のＦＰＣ６のコネクタ１１への接続について説明する。図４は、本発明の第１の実施の形態のＦＰＣホルダ９とコネクタカバー嵌合前の状態を示す断面要部詳細図である。
【００３８】
コネクタカバー１２はコネクタ１１にかぶさっており、コネクタカバー１２の爪１２ｄでコネクタ１１に引っかかっている。コネクタカバー１２の誘い部１２ａ、１２ｂの間には挿入口１２ｃがあり、コネクタ１１のＦＰＣ挿入部１１ａと一致している。また、コネクタカバー１２の外形と挿入口１２ｃの相対位置は、ＦＰＣホルダ９の内側とＦＰＣ６の挟持位置との相対位置は同じに設定されている。また、コネクタカバー１２の外形はガイド部９ｂ、挟持部９ａ、本体９ｉの内側の形状、大きさと同じにしている。よって、ＦＰＣホルダ９にコネクタカバー１２が嵌合して行くに従い、ＦＰＣ６の接続部６ａとコネクタカバー１２の挿入口１２ｃの相対誤差を小さくなっていく。これにより、確実に接続部６ａが誘い部１２ａ、１２ｂの内側のテーパに当接するようになる。よって、ＦＰＣホルダ９を押し込むと、接続部６ａは誘い部１２ａ、１２ｂの内側のテーパにより挿入口１２ａに誘い込まれて、ついには挿入口１２ａに挿入される。以上のように、コネクタカバー１２の誘い部１２ａ、１２ｂが、ＦＰＣホルダ９をコネクタカバー１２に誘い込んで、さらにＦＰＣ６の接続部６ａの倒れを吸収して、ＦＰＣ６の接続部６ａを確実にコネクタ１１に接続することができる。
【００３９】
また、ＦＰＣホルダ９の取付位置からコネクタ１１へのＦＰＣ６接続完了時のＦＰＣホルダ９の位置までの距離（押し込みストローク）に対して、取付部１３ａ、１３ｂのＦＰＣホルダ９の位置決め長さ、爪１３ｃ、１３ｄの爪の長さを短くして置く。これにより、ＦＰＣホルダ９をコネクタカバー１２に押し込むと、ＦＰＣホルダ９は取付部１３から完全離れて、ローディング動作をしても取付部１３ａ、１３ｂ等に干渉することがなく、ＦＰＣ６の接続部６ａは制御Ｐ板１０のコネクタ１１に常に接続された状態となる。
【００４０】
ところで、ピックアップ５のＦＰＣ６はシャーシ２の裏面に設けられた取付部１３ａ、１３ｂに固定されている。よって、組立工程内でＦＰＣ９が邪魔になることながない。また、決まった位置にＦＰＣ６の接続部６ａが固定されるため、検査工程で自動機による電気的な接続が可能となる。また、シャーシ２の裏面に固定しているため、制御Ｐ板１０への接続の際にシャーシ２の表側から押し込むだけで接続が可能で工数を削減できる。
【００４１】
ここで、ＦＰＣ６をＦＰＣホルダ９でローディングベース１５に固定することもできるが、そうするとシャーシ２のローディングベース１５への組み込みまで間、ＦＰＣ６はフリー状態で組立の邪魔になる。仮にシャーシ２のどこかに仮止めしておいても、ローディングベース１５に固定し直す必要が有るため工数を削減することができない。
【００４２】
また、ＦＰＣ６は弾性を有するためその復元力（以下コシと称す）によって、常に真っ直ぐに戻ろうとしている。特にＦＰＣホルダ９の付け根においては、９０度に曲げられているため、型どりが確実にされていなければ、大きな力で真っ直ぐに戻ろうとしている。その力に打ち勝って、ＦＰＣホルダ９の挟持部９ａは接続部６ａをシャーシ２に対して略９０度に立てている。しかしながら、ＦＰＣホルダ９が樹脂でできている為、常に力が加わっていると、次第に応力に対し降伏して行くためクリープを起こして挟持部９ａが開いていく。そうすると接続部６ａは９０度から次第に倒れてしまい、誘い部１２ａ、１２ｂのテーパに誘われず、コネクタ１１への接続がうまく行かなくなる。
【００４３】
しかしながら、本発明の第１の実施の形態によれば、シャーシ２において、挟持部９ａの外側にそれを支持する支持部１４を設けて開くのを防ぎ、長時間放置しても接続部６ａが倒れることなく、安定してコネクタ１１への挿入を行うことができる。
【００４４】
さらに、ＦＰＣホルダのガイド部９ｂはＦＰＣ６の接続部６ａを覆っている。よって、組立中に接続部６ａを傷つけることがない。また、ピックアップ５のレーザは静電気対して、弱く帯電している物に接続部６ａが接触することにより、破壊されることがしばしばある。ローディングベース１５等、ローディングの部材は樹脂でできている場合が多く帯電し易い。また、コネクタ１１を扱う作業者も静電気を帯易く、組立途中にレーザを破壊することがしばしばあった。
【００４５】
しかしながら、本発明の第１の実施の形態によれば、接続部６ａはＦＰＣホルダ９に囲われているため接続部６ａが外部の物に触れ難くいため、静電気によりレーザの破壊を低減させることが可能である。
【００４６】
次に、図５を用いてピックアップ５のＦＰＣ６のコネクタ１１への接続状態について説明する。図５は、本発明の第１の実施の形態の情報記憶装置におけるＦＰＣホルダ９とコネクタカバー１２との嵌合状態を示す断面図である。なお解り良くするためＦＰＣ６は実際と異なり、ＦＰＣホルダ９から切り離して図示してある。
【００４７】
ＦＰＣホルダ９において９ｅ、９ｆは、ＦＰＣ６の凸部６ｂ、６ｃがそれぞれ係合する凹部である。凹部９ｅ、９ｆの間の同じ高さ位置では、接続部６ａの根元６ｄがＦＰＣホルダ９の挟持部９ａとガイド部９ｂとで挟まれる。また、同じ高さ位置にはコネクタ１１とＦＰＣ６の接続状態において、コネクタカバー１２の誘い部１２ａ、１２ｂがあり、誘い部１２ａ、１２ｂと、根元６ｄの挟持されている部分とが交互に並んでいる。そのすぐ下はコネクタ１１があり、ＦＰＣ６の接続部６ａはコネクタ１１のＦＰＣ挿入口１１ａの中に入り込む。
【００４８】
ここで、制御Ｐ板１０からシャーシ２までの高さを考える。図４に示すように、シャーシ２から制御Ｐ板１０までの高さは、ＦＰＣ６が屈曲して通るための隙間ｖと、ＦＰＣホルダ９の接続部６ａの根元６ｄを挟持するため幅ｗと、コネクタカバー１２の誘い部１２ａ、１２ｂの高さｘと、コネクタ１１の高さｙ等が必要になる。本発明の第１の実施の形態によれば、図５に示すように、ＦＰＣホルダ９の接続部６ａの根元６ｄを挟持する部分と、コネクタカバー１２の誘い部１２ａは交互に同じ高さの位置に設けられているため、幅ｗまたは高さｘだけ低くすることができる。
【００４９】
以上のようにシャーシ２の裏側側において、ＦＰＣ６の接続部６ａを取り付けることにより、トラバース単体状態でも線材が固定されて組み立てる際の邪魔にならない。またＦＰＣ６のコネクタ１１への接続時に接続部６ａを移動する必要がない。
【００５０】
また、ＦＰＣホルダ６が、接続部６ａを挟持してシャーシ２に対して垂直に立て、外側と内側とにテーパを持つ誘い部１２ａ、１２ｂを有するコネクタカバー１２がコネクタ１１にかぶせられているため、ＦＰＣ６の接続部６ａが確実にコネクタ１１のＦＰＣ挿入口１１ａに入る。
【００５１】
また、ＦＰＣホルダ９の内形状と、コネクタカバー１２の外形状とを合わせているため、コネクタ１１のＦＰＣ挿入口１１ａとＦＰＣ６の接続部６ａとの位置を合わせることができ安定して、接続することができる。
【００５２】
さらに、接続部６ａの根元６ｄの挟持部分と誘い部１２ａ、１２ｂとを同じ高さに交互に配置することによって、高さを低くできる。
【００５３】
さらに、ＦＰＣ６の接続部６ａがＦＰＣホルダ６で囲まれているため、接続部６ａが傷つくことを防止し、静電気を帯びた物品からピックアップ５に内蔵されたレーザを保護することができる。
【００５４】
また、シャーシ２に挟持部９ａの挟み込みが開くのを防止する支持部１４を設けることにより、クリープによる変形を防止して長期間保存しても線材の倒れを防止してシャーシ２に対して略垂直に保持することがで、長期間放置されても安定してコネクタ１１への接続が可能となる。
【００５５】
また、ＦＰＣホルダ９のシャーシ２への取付を、取付部１３ａ、１３ｂの弾性的な爪１３ｃ、１３ｄによって着脱可能に取り付け、その上のシャーシ２に孔２ｂ、２ｃを設けることにより、孔２ｂ、２ｃを通して、ＦＰＣホルダ９をコネクタカバー１２押し込むことができ、簡単にＦＰＣ６とコネクタ１１の接続が可能となる。さらに、ＦＰＣ６の接続部６ａを触ることがないので、ピックアップ５のレーザを破壊する恐れが減る。
【００５６】
なお、本実施の形態においてはコネクタカバー１２をコネクタ１１にかぶせたが、コネクタ１１に一体的に誘い部を設けて、ＦＰＣホルダ９の内形状をコネクタ１１に合わせても良い。また、本実施の形態においては弾性的な爪１３ｃ、１３ｄでＦＰＣホルダ９を着脱可能に係合させたが、軽圧入で着脱可能に係合してもよく、また着脱可能であればその方法は問わない。
【００５７】
また、本実施の形態ではシャーシ２側の取付部１３ａ、１３ｂに爪１３ｃ、１３ｄを設けたが、ＦＰＣホルダ９に爪を設けても良く、着脱自在で有れば方法は問わない。
【００５８】
また、本実施の形態では、ピックアップ５のＦＰＣ６について述べたが、スピンドルモータ３、トラバースモータ６等の線材についても同様に実施することができる。
【００５９】
次に、本発明の第２の実施の形態の情報記憶装置について、図面を参照しながら説明していく。
【００６０】
（実施の形態２）
図６は、本発明の第２の実施の形態の情報記憶装置の構成図を示している。図６において、１０２はトラバース部品を支持するシャーシである。シャーシ１０２には、保持手段のターンテーブル１０４を、軸に圧入したスピンドルモータ１０３が固定されている。また、シャーシ１０２には、１対のガイドシャフト１０７ａ、１０７ｂが固定されている。
【００６１】
ガイドシャフト１０７ａ、１０７ｂは、互いに平行で、かつディスクを載置するターンテーブル１０４の面に平行に固定され、図示せぬディスクから情報を再生または記録する読取手段のピックアップ１０５を、ディスク半径方向に摺動自在に支持している。ピックアップ１０５は、送り手段であるトラバースモータ１０８により駆動力を受けて、移動できるように設けられている。また、ピックアップ１０５には、制御手段である制御Ｐ板１１０に接続するためのＦＰＣ１０６が設けれている。
【００６２】
ＦＰＣ１０６の先端の構成は、第１の実施の形態と同様であり、第１の実施の形態と同様にＦＰＣ１０６の先端にＦＰＣホルダ１０９（図７参照）が取り付けられている。また、ＦＰＣホルダ１０９の形状も、第１の実施の形態と同様にＦＰＣ先端の接続部を囲む形状をしており、かつその内側はコネクタカバー１１２が嵌合するような形状、大きさになっている。
【００６３】
ＦＰＣ１０６は、シャーシ１０２に設けられた開口部１０２ａを通して制御Ｐ板１１０に接続されている。この制御Ｐ板１１０には、ＦＰＣ１０６と接続するコネクタ１１１と孔１１０ａ〜１１０ｆとが設けられている。制御Ｐ板１１０は孔１１０ａ〜１１０ｃでシャーシ１０２のボス１０２ｅ〜１０２ｇ（但し、１０２ｇは図６では隠れているため図示できず）に位置決めされ、孔１１０ｄ〜１１０ｆにおいて、シャーシ１０２のボス１０２ｈ〜１０２ｊにネジ止めされる。
【００６４】
コネクタ１１１には、誘い部１１２ａ、１１２ｂを有するコネクタカバー１１２がかぶせられている。このコネクタ１１１とコネクタカバー１１２とが接続手段である。誘い部１１２ａ、１１２ｂは、コネクタ１１１のＦＰＣ挿入口１１１ａを挟むように間隔を開けて並んでいる。また、誘い部１１２ａ及び１１２ｂの外側の対向面と、ＦＰＣ挿入口１１１ａ側とがテーパ形状になっている。
【００６５】
さらに、図７を用いて本発明の第２の実施の形態の構成を説明する。図７は本発明の第２の実施の形態を示す要部側面図である。
【００６６】
シャーシ１０２には取付部１１３が設けられ、ＦＰＣ６の先端を保持したＦＰＣホルダ１０９が係合している。ＦＰＣホルダ１０９と取付部１１３とが係合手段である。また、シャーシ１０２には、制御Ｐ板１１０の孔１１０ａ〜１１０ｃに嵌合するボス１０２ｅ〜１０２ｇ（但し、１０２ｆは１０２ｅに重なるため図示せず）と、ネジ止めするためのボス１０２ｈ〜１０２ｊ（但し、１０２ｉは１０２ｈに重なるため図示せず）が設けられている。シャーシ１０２のボス１０２ｅ〜１０２ｇと、制御Ｐ板１１０の孔１１０ａ〜１１０ｃ（図６参照）の水平方向の位置を合わせると、図に示すように制御Ｐ板１１０上に設けられたコネクタカバー１１２（コネクタ１１１）と、ＦＰＣホルダ１０９（ＦＰＣ６の先端接続部）との水平方向の位置がほぼ一致するよになっている。
【００６７】
以上のように構成された情報記憶装置について、以下その基本動作について説明する。
【００６８】
まず、スピンドルモータ１０３を回転させて、ターンテーブル１０４に載置された図示せぬディスクを回転させる。トラバースモータ１０８を回転させ、ガイドシャフト１０７ａ、１０７ｂにより、ディスク半径方向に摺動自在にガイドされたピックアップ１０５をディスク半径方向に送る。これにより、ピックアップ１０５をディスクの任意のトラック近傍に移動して、ディスクの任意のトラック上の情報を読み出す、または書き込むことができる。これらの動作はＦＰＣ等の線材を電気的に介して制御Ｐ板１１０により制御される。
【００６９】
続いて、シャーシ１０２に制御Ｐ板１１０を取り付ける動作を説明する。まず、シャーシ１０２に設けられたボス１０２ｅ〜１０２ｇを、制御Ｐ板１１０の孔１１０ａ〜１１０ｃに挿入していく。ボス１０２ｅ〜１０２ｇと孔１１０ａ〜１１０ｃとは少し隙間を大きくしておき、制御Ｐ板１１０とシャーシ１０２との間に自由度をもたせておく。隙間は、ＦＰＣホルダ１０９とコネクタ１１１との位置の累積誤差以上、ＦＰＣホルダ１０９のガイド部１０９ａのテーパ量とコネクタカバー１１２の外側のテーパ量との合計以下に設定している。
【００７０】
ボス１０２ｅ〜１０２ｇを孔１１０ａ〜１１０ｃに挿入してしていくと、それに従いコネクタカバー１１２の誘い部１１２ａ、１１２ｂの外側のテーパでＦＰＣホルダ１０９が誘われ、コネクタカバー１１２にＦＰＣホルダ１０９が嵌合していく。コネクタカバー１１２の外形とＦＰＣホルダ１０９の内側との形状、大きさを同じにしているため、コネクタカバー１１２の外形がＦＰＣホルダ１０９に嵌合して行くに従い、ＦＰＣ１０６の接続部がＦＰＣ挿入口１１１ａに近づいていく。これにより、確実に接続部１０６ａが誘い部１１２ａ、１１２ｂの内側のテーパに当接するようになる。さらに、誘い部１１２ａ、１１２ｂの内側のテーパによりＦＰＣ６の先端はＦＰＣ挿入口１１１ａに誘われ、ついにはコネクタ１１１に挿入される。
【００７１】
また、制御Ｐ板１１０の孔１１０ａ〜１１０ｃとシャーシ１０２のボス１０２ｅ〜１０２ｇとの間に隙間をもたせておくと共に、この隙間をＦＰＣホルダ１０９とコネクタ１１１との位置の累積誤差以上、ＦＰＣホルダ１０９のガイド部１０９ａのテーパ量とコネクタカバー１１２の外側のテーパ量との合計以下に設定することにより、ボス１０２ｅ〜１０２ｇでＦＰＣホルダ１０９にコネクタカバー１１２を導くと共に、コネクタ１１１に余計な力をかけることがない。
【００７２】
以上のように、ピックアップ１０５のＦＰＣ１０６は、シャーシ１０２の裏面に設けられた取付部１１３に固定されていることにより、組立工程内のトラバース単体で取り扱いにおいてＦＰＣ９が邪魔になることながない。また、これにより検査工程で自動機による電気的な接続が可能となる。
【００７３】
また、ＦＰＣホルダ１０９はＦＰＣ１０６の接続部を覆っている。よって、組立中に接続部１０６ａを傷つけることがない。また、ピックアップ１０５に内蔵されたレーザは静電気対して弱く、帯電している物品に接続部１０６ａが接触することにより、破壊されることがしばしばある。一方、ローディングベース等、ローディングの部材は樹脂でできている場合が多く帯電し易い。さらに、コネクタ１１１を扱う作業者も静電気を帯易く、組立途中にレーザを破壊することがしばしばあった。しかしながら、第２の実施の形態によれば、接続部１０６ａはＦＰＣホルダ１０９に囲われているため接続部１０６ａが外部の物に触れ難くいため、静電気によりレーザの破壊を低減させることが可能である。また、制御Ｐ板１１０の孔１１０ａ〜１１０ｃにボス１０２ｅ〜１０２ｆを挿入させることにより、ＦＰＣ６を触れることなく、確実にＦＰＣ１０６に接続部がコネクタ１１１に接続される。これによりＦＰＣ６をつかむことなくＦＰＣ１０６のコネクタ１１１が可能となるため、さらに静電気によりレーザの破壊を低減させることが可能である。
【００７４】
また、制御Ｐ板１１０の孔１１０ａ〜１１０ｃとシャーシ１０２のボス１０２ｅ〜１０２ｇとの間に隙間をもたせておくと共に、この隙間をＦＰＣホルダ１０９とコネクタ１１１との位置の累積誤差以上、ＦＰＣホルダ１０９のガイド部１０９ａのテーパ量とコネクタカバー１１２の外側のテーパ量との合計以下に設定してある。これにより、ボス１０２ｅ〜１０２ｇでＦＰＣホルダ１０９にコネクタカバー１１２を導くと共に、コネクタ１１１に余計な力をかけることがない。
【００７５】
なお、本実施の形態においては誘い部１１２ａ、１１２ｂを設けたコネクタカバー１１２をコネクタ１１１にかぶせたが、コネクタ１１１に一体的に誘い部を設けて、ＦＰＣホルダ１０９の内形状をコネクタ１１１に合わせても良い。
【００７６】
また、本実施の形態では、ピックアップ１０５のＦＰＣ１０６について述べたが、スピンドルモータ１０３、トラバースモータ１０６等の線材についても同様に実施することができる。
【００７７】
次に、本発明の第３の実施の形態の情報記憶装置について、図面を参照しながら説明していく。
【００７８】
（実施の形態３）
図８は本発明の第３の実施の形態の情報記憶装置の部分詳細図を示している。図８において、２０６は図示せぬピックアップと制御Ｐ板２１０とを電気的に接続する結線部材であるＦＰＣである。ＦＰＣ２０６には、ピックアップのレーザに駆動電流を供給するＬＤ駆動ライン２０６ｅと、ＬＤＧＮＤライン２０６ｆとが設けられている。ＦＰＣ２０６のコネクタ２１１への接続部２０６ａ近傍において、ＬＤ駆動ライン２０６ｅにＬ字上の接点部材２１８が半田付けされ、またＬＧＮＤライン２０６ｆにはＳＷレバー２１７が半田付けされている。接点部材２１８、ＳＷレバー２１７が短絡手段である。接点部材２１７、ＳＷレバー２１７はリン青銅等の導通を持ち、かつ弾性的な材料でできている。ＦＰＣ２０６のコネクタ２１１への挿入前、ＳＷレバー２１７はそれ自身の弾性力により先端の接点部２１７ｂにおいて、接点部材２１８に接している。また、ＳＷレバー２１７には、当接部２１７ａが接続部２０６ａ方向にＶ字上にのびており、ＦＰＣ２０６がコネクタ２１１に挿入された際、コネクタ２１１の上面２１１ｂに十分当接するように設けられている。
【００７９】
以上のように構成された情報記憶装置について、以下その動作について説明する。
【００８０】
ＦＰＣ２０６のコネクタ２１１への挿入前、前述したようにＳＷレバー２１７はそれ自身の弾性力により先端の接点部２１７ｂにおいて、接点部材２１８に接している。これにより、ＬＤ駆動ライン２０６ｅとＬＤＧＮＤライン２０６ｆとは短絡しており、静電気がレーザにかからないようになっている。ＦＰＣ２０６の接続部２０６ａをコネクタ２１１のＦＰＣ挿入口２１１ａに挿入していくと、ＳＷレバー２１７の当接部２１７ａはコネクタ２１１に近づいていく。当接部２１７ａは接続部２０６ａ側に十分飛び出しており、挿入が完了した時点で、コネクタ２１１の上面２１１ｂに当接し、上方向に押し上げられる。これにしたがい接点部２１７ｂも上方向に押し上げられ、接点部材２１８より離れる。これにより、ＦＰＣ２０６のコネクタ２１１への接続完了時、レーザの短絡が開放されてレーザの駆動が可能となる。
【００８１】
これと逆に、ＦＰＣ２０６をコネクタ２１１から抜くと、コネクタ２１１の上面２１１ｂに当接していた当接部２１７ａは開放され、それ自身弾性力により復帰して接点部２１７ａは接点部材２１８に再び当接し、ＬＤ駆動ライン２０６ｅとＬＤＧＮＤライン２０６ｆは短絡される。
【００８２】
以上のように、ＦＰＣ２０６の接続部２０６ａ近傍でＬＤ駆動ライン２０６ｅとＬＤＧＮＤライン２０６ｆとの間に、接点部材２１８とＳＷレバー２１７とによりスイッチを構成し、ＦＰＣ２０６のコネクタ２１１への挿入状態において、コネクタ２１１の上面２１１ｂで当接部２１７ａを押し上げるようにすることで、接続前にレーザを短絡し、接続時に開放することができる。これにより、ＦＰＣ２０６のコネクタ２１１への挿抜動作だけでレーザの開放／短絡ができ、レーザの開放／短絡作業が不要になる。よって、自動化が容易になるとともにレーザショートの開放忘れによる不良、修理・改造時の短絡忘れによるレーザの静電気破壊を防止することが可能となる。
【００８３】
なお、本発明の実施の形態では、２つの部品を使用してＳＷを構成したが、ユニット化されたノーマルＣＬＯＳＥのスイッチを使用してもよい。
【００８４】
また、スイッチの検出部である当接部がコネクタ上面に当接して、短絡を開放したが、第１、２の実施の形態で示したしたコネクタホルダに当接してもよく、またコネクタに凸部を出しておい当接させてもてもよく、さらに制御Ｐ板上の別の部材でもよく、その方法は限らない。
【００８５】
また、本発明の実施の形態では、ＦＰＣ上に短絡手段を設けたが、ピックアップ上にＦＰＣとの接続手段と短絡手段とを設け、さらにＦＰＣ上に当接部を設けて、ピックアップへのＦＰＣの接続時にＦＰＣの当接部で、短絡手段を開放しても同様の効果が得られる。
【００８６】
また、本実施の形態では、弾性的にＯＮ、ＯＦＦするスイッチをＦＰＣ上に構成したが、一度接続した後に修理等で抜くことが無い場合、短絡手段が復帰しない構成をとっても構わない。
【００８７】
なお、本発明の第１、第２の実施の形態は、ディスクの再生または録再装置を示したが、シャーシ上を可動する可動手段とその制御手段の結線をするもで、あれば同様の効果がえられる。
【００８８】
また、本発明の第３の実施の形態は、ディスクの再生または録再装置を示したが、静電気に弱い部品を搭載した装置であれば、同様の構成で同様の効果が得られる。
【００８９】
【発明の効果】
以上のように本発明は、情報記憶媒体を保持する保持手段と、情報記憶媒体の情報を再生または記録の少なくとも何れか一方をする読取手段と、読取手段の情報記憶媒体に対する位置を変える送り手段と、読取手段と、保持手段と、送り手段とを指示するシャーシと、保持手段、読取手段、送り手段のそれぞれの動作を制御する制御手段と、保持手段、読取手段、送り手段の少なくとも何れかと制御手段とを電気的に結ぶ結線手段と、結線手段の一端に設けられ接続部と制御手段とを挿抜可能に接続する接続手段とを備え、接続手段に対向する位置であって、シャーシに関し情報記憶媒体の反対側に、接続部をシャーシに係合させる係合手段とを備え、係合手段が係合手段またはシャーシの何れかに設けられた弾性的な爪または軽圧入の何れかによって着脱可能にシャーシに係合し、シャーシの係合手段に対応する位置に孔が備えられており、シャーシの情報記憶媒体側から孔を通して係合手段を押すと、係合手段がシャーシより分離することができる情報記憶装置である。
【００９０】
これにより、線材が固定されて組立時に邪魔にならず、かつ簡単に制御手段に設けられたコネクタへの接続ができ、
トラバース単体状態でも線材が固定されて組立時に邪魔にならず、かつ簡単に制御手段に設けられたコネクタへの接続ができる。
【００９１】
また、結線手段が平板状の柔軟性のある線材であり、係合手段が接続部の近傍を挟んで支持する挟持部を有し、挟持部が接続部をシャーシに対して略垂直に保持することにより、より安定して接続手段への接続が可能となる。
【００９２】
さらに、ローディングベースに制御手段を設けた場合でも、容易に、係合手段の接続手段への接続が可能となる。また、接続の際に人が線材を接触しないため、静電気によるピックアップのレーザの破壊を低減することが可能となる。
【００９３】
さらに、シャーシに挟持部の挟み込みが開くのを防止する支持手段を設けることにより、クリープによる変形を防止して長期間保存しても線材の倒れを防止してシャーシに対して略垂直に保持することができ、長期間放置されても安定して接続手段への接続が可能となる。
【００９４】
さらに、接続手段の外側にガイド部を案内するテーパを、結線手段の接続部を接続手段の挿入口に案内するテーパを接続手段の内側に有する誘い部を備え、誘い部と係合手段の挟持部がシャーシに対し同じ高さで交互に並べることにより、高さを増やすことなく、より確実に結線手段の接続部を接続手段に接続することが可能となる。
【図面の簡単な説明】
【図１】本発明の第１の実施の形態の情報記憶装置の構成図
【図２】本発明の第１の実施の形態の情報記憶装置の裏側から見た構成図
【図３】本発明の第１の実施の形態の情報記憶装置の側面図
【図４】本発明の第１の実施の形態の情報記憶装置におけるＦＰＣホルダとコネクタカバー嵌合前の状態を示す断面詳細図
【図５】本発明の第１の実施の形態の情報記憶装置におけるＦＰＣホルダとコネクタカバー嵌合状態を示す断面詳細図
【図６】本発明の第２の実施の形態の情報記憶装置の構成図
【図７】本発明の第２の実施の形態の情報記憶装置の側面図
【図８】本発明の第３の実施の形態の情報記憶装置の部分詳細図
【図９】従来の情報記憶装置の構成図
【符号の説明】
２、１０２  シャーシ
１０２ｅ、１０２ｆ、１０２ｇ  ボス
１０２ｈ  ボス
３、１０３  スピンドルモータ
４、１０４  ターンテーブル
５、１０５  ピックアップ
６、１０６、２０６  ＦＰＣ
６ａ、２０６ａ  接続部
６ｂ、６ｃ  凸部
６ｄ  根元
２０６ｅ  ＬＤ駆動ライン
２０６ｆ  ＬＤＧＮＤライン
７ａ、１０７ａ  ガイドシャフト
７ｂ、１０７ｂ  ガイドシャフト
８、１０８  トラバースモータ
９、１０９  ＦＰＣホルダ
９ａ  挟持部
９ｂ  ガイド部
９ｃ、９ｄ  凸部
９ｅ、９ｆ  凹部
９ｇ  フック
９ｈ  ヒンジ部
９ｉ  本体
１０、１１０、２１０  制御Ｐ板
１１０ａ、１１０ｂ、１１０ｃ  孔
１１０ｄ、１１０ｅ、１１０ｆ  孔
１１、１１１、２１１  コネクタ
１１ａ、１１１ａ、２１１ａ  ＦＰＣ挿入口
２１１ｂ  上面
１２、１１２  コネクタカバー
１２ａ、１１２ａ  誘い部
１２ｂ、１１２ｂ  誘い部
１２ｃ  挿入口
１２ｄ  爪
１３ａ、１３ｂ、１１３  取付部
１３ｃ、１３ｄ  爪
１４  支持部
１５  ローディングベース
１６ａ、１６ｂ  ネジ
２１７  ＳＷレバー
２１７ａ  当接部
２１７ｂ  接点部
２１８  接点部材
【図１】
0003572962.tif 000002
【図２】
0003572962.tif 000003
【図３】
0003572962.tif 000004
【図４】
0003572962.tif 000005
【図５】
0003572962.tif 000006
【図６】
0003572962.tif 000007
【図７】
0003572962.tif 000008
【図８】
0003572962.tif 000009
【図９】
0003572962.tif 000010